(57)【特許請求の範囲】
【請求項１】
左右方向に並べられた複数のシャーシと、
これら複数のシャーシに揺動自在に設けられかつ左右方向に並べられた複数の鍵と、を備え、
前記複数のシャーシはそれぞれ、単一の部品で構成され、装置本体に直接、取り付けられていることを特徴とする鍵盤楽器の鍵盤装置。
【請求項２】
前記複数のシャーシはそれぞれ、前後左右に延びる補強用の複数のリブがそれぞれ一体に形成され且つ下方に突出する複数のボスを一体に有し、当該複数のボスを介して前記装置本体に取り付けられていることを特徴とする請求項１に記載の鍵盤楽器の鍵盤装置。
【請求項３】
前記複数のシャーシの少なくとも一部は、互いに同様の寸法および形状を備えた１種類の複数のシャーシで構成されていることを特徴とする請求項１または２に記載の鍵盤楽器の鍵盤装置。
【請求項４】
前記１種類のシャーシは、１オクターブの整数倍分の鍵用のシャーシとして構成されていることを特徴とする請求項３に記載の鍵盤楽器の鍵盤装置。
【発明の詳細な説明】
【０００１】
【発明の属する技術分野】
本発明は、電子ピアノなどの鍵盤楽器に用いられる鍵盤楽器の鍵盤装置に関する。
【０００２】
【従来の技術】
従来、この種の鍵盤楽器の鍵盤装置として、例えば特開昭６３−１２８３９７号公報に記載されたものが知られている。この鍵盤装置では、１個の金属製のシャーシ（フレーム）上に多数の鍵が左右方向に並んで取り付けられている。このシャーシには、多数の溝や孔などが形成されており、各鍵は、これらの溝および孔に係合した状態で、シャーシに揺動自在に取り付けられている。また、シャーシは、１枚の金属板（例えば、鋼板）にプレス金型を用いた打ち抜き加工を施したり、曲げ金型を用いた曲げ加工などを施したりすることによって、一体に製作されている。
【０００３】
一方、金属製のシャーシに代えて合成樹脂製のシャーシを用いた鍵盤装置がある。このような合成樹脂製のシャーシは、射出成形用の金型を備えた射出成形機によって射出成形されている。
【０００４】
【発明が解決しようとする課題】
上記従来の鍵盤装置によれば、１個のシャーシ上にすべての鍵が取り付けられているため、シャーシは、これらの鍵全体の幅（左右方向の長さ）以上の大きなサイズになっている。このため、シャーシの加工時に使用される、プレス金型、曲げ金型および射出成形用の金型や、プレス機および射出成形機を含めた製造設備が大型になり、製造コストの増大を招いている。これに加えて、シャーシの試作段階において、シャーシに形成される孔や鍵ガイドの位置などが金型の製造誤差などによってずれてしまうことがあり、これらの位置を揃えるための金型調整が必要になることがある。この場合、上記金型が大型であることにより、溝や孔の位置ずれを調整すべき範囲が広くなることによって、金型の調整作業に手間暇がかかり、結果として製造コストをさらに増大させるという問題がある。
【０００５】
また、鍵盤装置には、通常の８８鍵に限らず、様々な鍵数のものがある。しかしながら、例えば８８鍵用のシャーシを加工するための金型を製作してしまうと、これを７６鍵用のシャーシの加工に転用できない。このため、鍵数の異なる多数種のシャーシを製作する場合に、多数種の金型を別々に製作しなければならず、製造コストがより一層、増大してしまう。
【０００６】
本発明は、上記課題を解決するためになされたもので、シャーシの製造コストの大幅な削減によって、製造コストを大幅に削減することができる鍵盤楽器の鍵盤装置を提供することを目的とする。
【０００７】
【課題を解決するための手段】
請求項１の鍵盤楽器の鍵盤装置は、左右方向に並べられた複数のシャーシと、これら複数のシャーシに揺動自在に設けられかつ左右方向に並べられた複数の鍵と、を備え、複数のシャーシはそれぞれ、単一の部品で構成され、装置本体に直接、取り付けられていることを特徴とする。
【０００８】
この鍵盤楽器の鍵盤装置によれば、１つの鍵盤装置用のシャーシが複数に分割構成されていて、それらを別々に製造できるので、１つの鍵盤装置に対して１個のシャーシを製造する従来の場合と比べて、シャーシ１個当りのサイズを小型化できる。これによって、シャーシ製造に用いる、金型やプレス機などを含めた製造設備を小型化できると共に、試作段階の金型調整も容易になるので、シャーシの製造コスト、すなわち鍵盤装置の製造コストを削減することができる。また、複数のシャーシがそれぞれ、単一の部品で構成され、装置本体に直接、取り付けられているので、格別の部品を用いることなく、複数のシャーシを装置本体に直接、取り付けることができ、部品点数を削減することができる。
また、上記において、複数のシャーシはそれぞれ、前後左右に延びる補強用の複数のリブがそれぞれ一体に形成され且つ下方に突出する複数のボスを一体に有し、複数のボスを介して装置本体に取り付けられていることが好ましい。
【０００９】
上記において、複数のシャーシの少なくとも一部は、互いに同様の寸法および形状を備えた１種類の複数のシャーシで構成されていることが好ましい。
【００１０】
この鍵盤楽器の鍵盤装置によれば、１つの鍵盤装置に用いるシャーシの共通化を図ることができ、シャーシ製造に用いる金型の種類を減らすことができる。これによって、製造コストをさらに削減することができる。
【００１１】
また、上記において、１種類のシャーシは、１オクターブの整数倍分の鍵用のシャーシとして構成されていることが好ましい。
【００１２】
一般的な鍵盤装置では、白鍵および黒鍵の配置が１オクターブ毎に同一に繰り返されるので、この鍵盤楽器の鍵盤装置のように、シャーシをオクターブ単位で分割構成すれば、１つの鍵盤装置においてシャーシの共通化が容易になる。また、異なる鍵数の鍵盤装置間で、白鍵および黒鍵の寸法および形状などを標準化すれば、１種類のシャーシを鍵数の異なる様々な鍵盤装置に適用することができる。したがって、鍵盤楽器の鍵盤装置の製造コストを大幅に削減することができる。特に、シャーシを１オクターブ分の鍵用に分割構成すれば、１つの鍵盤装置において鍵盤部の大部分を１種類のシャーシで構成できると共に、シャーシを適用可能な鍵盤装置の範囲を最大限に拡げることができる。
【００１５】
【発明の実施の形態】
以下、添付図面を参照しながら、本発明の第１実施形態に係る鍵盤楽器の鍵盤装置について説明する。本実施形態の鍵盤装置は、図示しない電子ピアノに用いられるものであり、図１に示すように、鍵盤装置１では、９個のシャーシ２が、棚板（装置本体）３上に左右方向に並べて取り付けられている。すなわち、棚板３には、７個（図１には２個のみ示す）のシャーシ２と、共に図示しない最低音部用および最高音部用のシャーシとが取り付けられている。７個のシャーシ２は、互いに同じ寸法および形状を備えた１種類のシャーシで構成されており、各シャーシ２には、１オクターブ分の鍵４、すなわち７個の白鍵４０および５個の黒鍵４１で構成された１２個の鍵４が取り付けられている。また、最低音部用および最高音部用のシャーシには、最低音部の３個の鍵４および最高音の１個の鍵４がそれぞれ取り付られている。このように、鍵盤装置１は、全部で８８個の鍵４を備えている（図１には２４個のみ示す）。
【００１６】
シャーシ２は、平面的に矩形に射出成形されたＡＢＳ樹脂製の部品であり、図２に示すように、シャーシ２の下面には、前中後３つのボス２ａ，２ａ，２ａが、前後方向（図２の左右方向）に１列に等間隔で並んでかつ下方に突出して形成されている。これら１列のボス２ａ，２ａ，２ａは、シャーシ２の左右端部にそれぞれ設けられており（１列のみ図示）、シャーシ２は、全部で６個のボス２ａを備えている。各ボス２ａには、補強用の４つのリブ２ｂが前後左右に一体に形成されている（３つのみ図示）。一方、棚板３は、押出成形されたアルミ合金製の部品であり、図示しない６つの孔が、６つのボス２ａにそれぞれ合致する位置に設けられている。シャーシ２は、ネジ３ａをこれらの孔に通し、ボス２ａ内の図示しない穴に螺合させることによって、棚板３に堅固に固定されている。
【００１７】
一方、最低音部用および最高音部用のシャーシはそれぞれ、シャーシ２用の射出成形機の金型に入子型を用いることによって、Ｖ字形の溝付きのシャーシを射出成形し、この溝付きシャーシを溝に沿って切断することにより、製作されている。
【００１８】
また、白鍵４０および黒鍵４１はそれぞれ、射出成形されたＡＢＳ樹脂製の部品であり、以下、白鍵４０の構成について説明する。白鍵４０の後端部には、下方に延びる可撓部４０ａと、この可撓部４０ａから後方に延びる取付部４０ｂと、が形成されている。取付部４０ｂは、ネジ５を介してシャーシ２の後端部の上面に固定され、可撓部４０ａは、白鍵４０が押鍵された際に、弾性変形して撓むような厚みに形成されている。一方、シャーシ２の中央部の前寄りには、上面および下面に、ゴム製の下限ストッパ２ｃおよび上限ストッパ２ｄがそれぞれ取り付けられている。さらに、白鍵４０の中央部の前寄りには、フック状のストッパ部４０ｃが形成されており、ストッパ部４０ｃは、シャーシ２の孔２ｅを通って下方に突出すると共に、その先端部が上限ストッパ２ｄに常時、当接している。以上の構成によって、白鍵４０は、ストッパ部４０ｃが上限ストッパ２ｄに当接する斜め後ろ下がりの離鍵位置（図２に示す位置）と、白鍵４０の下面が下限ストッパ２ｃに当接する押鍵位置（図示せず）との間で揺動自在にシャーシ２に取り付けられており、常時は、離鍵位置に位置する。
【００１９】
さらに、シャーシ２の前端部には、階段状に一段低くなった段部が形成されており、この段部には、白鍵４０の揺動を案内する鍵ガイド２ｆが立設されている。この鍵ガイド２ｆによって、白鍵４０は、その揺動時に、左右方向にぶれないように案内される。
【００２０】
シャーシ２の中央部の下面には、プリント回路基板（以下、「基板」という）６がネジ止めされている。この基板６の上面には、鍵スイッチ７が設けられており、鍵スイッチ７は、シャーシ２に形成した図示しない孔を介して上方に突出している。また、鍵スイッチ７は、基板６を介して電子ピアノの発音を制御する制御装置（図示せず）に接続されている。一方、白鍵４０の中央部には、下方に突出するアクチュエータ部４０ｄが形成されており、アクチュエータ部４０ｄは、鍵スイッチ７の上面に常に当接している。したがって、白鍵４０を押鍵すると、鍵スイッチ７が押下され、オン動作することに伴い、電子ピアノがピアノ音を発音するようになっている。白鍵４０は、以上のように構成されており、説明は省略するが、黒鍵４１も白鍵４０とほぼ同様に構成されている。
【００２１】
以上のように構成された本実施形態の鍵盤装置１によれば、鍵４を取り付けるためのシャーシが、１オクターブ分用の７個のシャーシ２と、最低音部用および最高音部用の２個のシャーシとに分割構成されているので、シャーシの製造に用いる、射出成形用の金型や射出成形機を含めた製造設備を小型化できる。また、金型の小型化によって試作段階の金型調整も容易になる。これに加えて、鍵盤楽器における鍵４の配置は、通常、１オクターブ毎に同一に繰り返されるので、シャーシ２に１オクターブ分の鍵４を取り付ける構成としたことによって、７個のシャーシ２の寸法や形状などを同一にでき、シャーシ２を製造するための金型を共通化できる。さらに、シャーシ２を製造するための金型に入子型を用いることによって、最高音部および最低音部用のシャーシをそれぞれ製作でき、１つの金型で鍵盤装置１のすべてのシャーシを製作できる。したがって、シャーシ２の製造コストを大幅に削減でき、鍵盤装置１の製造コストを大幅に削減することができる。
【００２２】
また、鍵数の異なる鍵盤装置間で、鍵４の寸法や形状などを同一にして、シャーシを標準化すれば、シャーシ２を鍵盤装置１だけでなく鍵数の異なる他の鍵盤装置にも適用することができ、鍵盤装置の製造コストをより大幅に削減することができる。さらに、シャーシ２を、格別の部品を用いることなく棚板３に直接、取り付けられるので、部品点数を削減できる。
【００２３】
次に、本発明の第２実施形態に係る鍵盤楽器の鍵盤装置について説明する。図３に示すように、本実施形態の鍵盤装置１は、シャーシ２の断面形状や鍵４の後端部のシャーシ２への取付部の構成が少し異なっている以外は、第１実施形態の鍵盤装置１と同様の構成を備えている。特に、図示はしないが、シャーシ２は、１オクターブ単位で分割され、７個のシャーシ２が、同一の寸法および形状に構成されている。したがって、本実施形態の鍵盤装置１でも、第１実施形態の鍵盤装置１と同様に、その製造コストを大幅に削減することができる。
【００２４】
さらに、本発明の第３実施形態に係る鍵盤楽器の鍵盤装置について説明する。図４に示すように、本実施形態の鍵盤装置１は、鍵４の押鍵動作に伴って回動するハンマ８を備えている点と、ハンマ８が鍵スイッチ７を押下する点と、シャーシ２の断面形状と、鍵４の後端部のシャーシ２への取付部の構成とが少し異なっている以外は、第１実施形態の鍵盤装置１とほぼ同様の構成を備えている。特に、図示はしないが、シャーシ２は、１オクターブ単位で分割され、７個のシャーシ２が、同一の寸法および形状に構成されている。したがって、本実施形態の鍵盤装置１でも、第１実施形態の鍵盤装置１と同様に、その製造コストを大幅に削減することができる。
【００２５】
なお、上記実施形態においては、本発明の鍵盤装置１を電子ピアノに適用したものについて説明したが、本発明の鍵盤装置１はこれに限らず、他の電子楽器（例えばシンセサイザなど）や、生ピアノタイプの鍵盤楽器に適用してもよい。また、シャーシ２をＡＢＳ樹脂製としたが、シャーシ２の材質はこれに限らず、他の合成樹脂（例えばポリスチレンやポリアセタールなど）およびセラミックなどでもよい。また、鋼板にプレス金型を用いた打ち抜き加工を施したり、曲げ金型を用いた曲げ加工などを施したりすることによって、シャーシ２を製造してもよい。このようにすれば、シャーシ２の製造に用いる、金型やプレス機などを含めた製造設備を小型化でき、前述したように、鍵盤装置の製造コストを大幅に削減できる。さらに、上記実施形態においては、鍵４をＡＢＳ樹脂製としたが、鍵４の材質はこれに限らず、鋼などの金属、他の合成樹脂（例えばポリスチレンやポリアセタールなど）および木質材などでもよい。また、最低音部用および最高音部用のシャーシを製作するために、シャーシ２用の射出成形機の金型に入子型を用いることによって、Ｖ字形の溝付きのシャーシを射出成形するようにしたが、シャーシ２用の射出成形機の金型の形状を変更することによって、シャーシ２自体をＶ字形の溝付きのシャーシとして射出成形し、鍵盤装置１に用いるようにしてもよい。
【００２６】
【発明の効果】
以上のように、本発明の鍵盤楽器の鍵盤装置によれば、シャーシの製造コストの大幅な削減によって、製造コストを大幅に削減することができる。
【図面の簡単な説明】
【図１】本発明の第１実施形態に係る鍵盤楽器の鍵盤装置の平面図である。
【図２】鍵盤装置の側断面図である。
【図３】第２実施形態に係る鍵盤楽器の鍵盤装置の側断面図である。
【図４】第３実施形態に係る鍵盤楽器の鍵盤装置の側断面図である。
【符号の説明】
１  鍵盤装置
２  シャーシ
３  棚板（装置本体）
４  鍵
【図１】
0003670483.tif 000002
【図２】
0003670483.tif 000003
【図３】
0003670483.tif 000004
【図４】
0003670483.tif 000005